(57)【要約】【課題】支柱の倒れに対し十分な強度を確保できる手摺支柱の取付装置を提供する。【解決手段】手摺支柱１を取り付ける躯体１８にその室内外方向に長幅の箱枠５を配置し、箱枠５の四隅に設けたアンカー棒６を躯体１８に穿設したアンカー用穴７に埋め込み且つ接着用樹脂１７で根固めすることによって箱枠５を躯体１８に固定し、箱枠５は、その内部を、長幅方向中央部の手摺支柱支持室１１と、隔壁１０を介して室内外両側の箱枠部室１２，１２とに区画形成し、手摺支柱支持室１１に手摺支柱１を挿入して固定し、手摺支柱支持室１１に負荷する手摺支柱の室内外方向の偏寄力を箱枠５の室内外側箱枠部９ａによって受支するようにした。【選択図】図４
2010024749.tif 000002
【特許請求の範囲】
【請求項１】
手摺支柱を取り付ける躯体にその室内外方向に長幅の箱枠を配置し、箱枠の四隅に設けたアンカー棒を躯体に穿設したアンカー用穴に埋め込み且つ接着用樹脂で根固めすることによって箱枠を躯体に固定し、箱枠は、その内部を、長幅方向中央部の手摺支柱支持室と、隔壁を介して室内外両側の箱枠部室とに区画形成し、手摺支柱支持室に手摺支柱を挿入して固定し、手摺支柱支持室に負荷する手摺支柱の室内外方向の偏寄力を箱枠の室内外箱枠部によって受支するようにした手摺支柱の取付装置。
【請求項２】
手摺支柱支持室に挿入した手摺支柱をセメントモルタルで根固めするようにした請求項１に記載の手摺支柱の取付装置。
【請求項３】
手摺支柱支持室に挿入した手摺支柱を挟着手段によって挟着固定するようにした請求項１に記載の手摺支柱の取付装置。
【請求項４】
室内側箱枠部室及び室外側箱枠部室には反力受け材を収容して、手摺支柱支持室に負荷する手摺支柱の室内外方向の偏寄力を反力受け材によって受支するようにした請求項１〜３の何れかに記載の手摺支柱の取付装置。
【請求項５】
箱枠は躯体上に載置した状態で躯体に固定するようにした請求項１〜４の何れかに記載の手摺支柱の取付装置。
【請求項６】
箱枠は躯体から浮かせた状態で躯体に固定するようにした請求項１〜４の何れかに記載の手摺支柱の取付装置。
【請求項７】
箱枠はアルミ押出形材によって一体に形成されている請求項１〜６の何れかに記載の手摺支柱の取付装置。
【請求項８】
箱枠は箱枠長幅方向中央部で二分割されたようなアルミ押出形材製の一対の半割枠からなり、各半割枠は互いに他の半割枠の接合端部と接合するための左右の接合端部を有し、左右両接合端部は、互いに他の半割枠の接合端部と凹凸嵌合する凹形嵌合部と凸形嵌合部とからなる請求項１〜６の何れかに記載の手摺支柱の取付装置。
【請求項９】
各アンカー棒はネジ軸からなり、このネジ軸と、これが挿入されるアンカー用穴の入口部との間には防水シールを介装してなる請求項１〜８の何れかに記載の手摺支柱の取付装置。
【請求項１０】
箱枠の上面側には上蓋を取り付けてなる請求項１〜９の何れかに記載の手摺支柱の取付装置。
【発明の詳細な説明】
【技術分野】
【０００１】
本発明は、建物の屋上やベランダ等に設置される手摺支柱の取付装置に関するものである。
【背景技術】
【０００２】
屋上やベランダ等に手摺りを設置するにあたって、手摺支柱を固定するのに、根巻ポストを使用することがある。この根巻ポストは、箱枠に底蓋を取り付けた底蓋付き箱枠からなるもので、箱枠内に手摺支柱の下端部を挿入し、箱枠内に装填したセメントミルクによって手摺支柱を箱枠内に固定するようになっている。
【発明の開示】
【発明が解決しようとする課題】
【０００３】
屋上やベランダ等に設置した手摺りにおいて、手摺支柱には手摺りが受ける風圧により相当に大きな荷重がかかることから、手摺支柱を固定するのに根巻ポストを使用する場合には、風圧で手摺支柱が倒れないように十分な強度を確保する必要があるが、十分な強度を持たせるには根巻ポストの重量を大きくする必要があり、そうすると箱枠の体積が大きくなり、ベランダ等におけるポストの接地面積が広くなって、ベランダ等の使用に支障をきたす上に、ポストが異常に大きいため外観上の体裁を悪くするという問題があった。
【０００４】
本発明は、上記の事情に鑑み、比較的小形の箱枠を使用して、支柱の倒れに対し十分に大きな強度を確保できる手摺支柱の取付装置を提供することを目的としている。
【課題を解決するための手段】
【０００５】
上記課題を解決するための手段を、後述する実施形態の参照符号を付して説明すると、請求項１に係る発明の手摺支柱の取付装置は、手摺支柱１を取り付ける躯体１８にその室内外方向に長幅の箱枠５を配置し、箱枠５の四隅に設けたアンカー棒６を躯体１８に穿設したアンカー用穴７に埋め込み且つ接着用樹脂１７で根固めすることによって箱枠５を躯体１８に固定し、箱枠５は、その内部を、長幅方向中央部の手摺支柱支持室１１と、隔壁１０を介して室内外両側の箱枠部室１２，１２とに区画形成し、手摺支柱支持室１１に手摺支柱１を挿入して固定し、手摺支柱支持室１１に負荷する手摺支柱の室内外方向の偏寄力を箱枠５の室内外側箱枠部９ａによって受支するようにしたことを特徴とする。
【０００６】
請求項２は、請求項１に記載の手摺支柱の取付装置において、手摺支柱支持室１１に挿入した手摺支柱１をセメントモルタル８で根固めするようにしたことを特徴とする。
【０００７】
請求項３は、請求項１に記載の手摺支柱の取付装置において、手摺支柱支持室１１に挿入した手摺支柱１を挟着手段３４によって挟着固定するようにしたことを特徴とする。
【０００８】
請求項４は、請求項１〜３の何れかに記載の手摺支柱の取付装置において、室内側箱枠部室１２及び室外側箱枠部室１２には反力受け材を収容して、手摺支柱支持室１１に負荷する手摺支柱１の室内外方向の偏寄力を反力受け材によって受支するようにしたことを特徴とする。
【０００９】
請求項５は、請求項１〜４の何れかに記載の手摺支柱の取付装置において、箱枠５は躯体１８上に載置した状態で躯体１８に固定するようにしたことを特徴とする。
【００１０】
請求項６は、請求項１〜４の何れかに記載の手摺支柱の取付装置において、箱枠５は躯体１８から浮かせた状態で躯体１８に固定するようにしたことを特徴とする。
【００１１】
請求項７は、請求項１〜６の何れかに記載の手摺支柱の取付装置において、取付枠１７はアルミ押出形材によって一体に形成されていることを特徴とする。
【００１２】
請求項８は、請求項１〜６の何れかに記載の手摺支柱の取付装置において、箱枠５は、箱枠長幅方向中央部で二分割されたようなアルミ押出形材製の一対の半割枠５ａ，５ａからなるもので、各半割枠５ａは互いに他の半割枠５ａの接合端部と接合するための左右の接合端部を有し、左右両接合端部は、互いに他の半割枠５ａの接合端部と凹凸嵌合する凹形嵌合部１４と凸形嵌合部１５とからなることを特徴とする。
【００１３】
請求項９は、請求項１〜８の何れかに記載の手摺支柱の取付装置において、各棒状アンカー６はネジ軸からなるもので、このネジ軸と、これが挿入されるアンカー用穴７の入口部との間には防水シール２６，３１を介装してなることを特徴とする。
【００１４】
請求項１０は、求項１〜６の何れかに記載の手摺支柱の取付装置において、請箱枠５の上面側には上蓋１９を取り付けてなることを特徴とする。
【発明の効果】
【００１５】
上記解決手段による発明の効果を、後述する実施形態の参照符号を付して説明すると、請求項１に係る発明による手摺支柱１の取付装置は、躯体１８にその室内外方向に長幅の箱枠５を配置し、箱枠５の四隅に設けたアンカー棒６を躯体１８に設けたアンカー用穴７に埋め込んで接着用樹脂１７で根固めすることにより箱枠５を躯体１８に固定するから、箱枠５を躯体１８に強固に固定できて、比較的小形の箱枠により支柱の倒れに対し十分に大きな強度を確保できる。また、箱枠５の内部を、長幅方向中央部の手摺支柱支持室１１と、隔壁１０を介して室内外両側の箱枠部室１２，１２とに区画形成し、手摺支柱支持室１１に手摺支柱１を挿入して固定し、手摺支柱支持室１１に負荷する手摺支柱の室内外方向の偏寄力を箱枠５の室内外側箱枠部９ａによって受支するようにしたから、手摺りＴが受ける風圧によって手摺支柱１に対しこれと直交する室内外方向の外力が作用する時に、手摺支柱支持室１１に負荷する手摺支柱１の室内外方向の偏寄力は、箱枠５の室内外側箱枠部９ａによって支持され、従って手摺支柱１は倒れを生ずるようなことがなく、箱枠５及びアンカー棒６を介してコンクリートスラブ１８上に安定良く支持固定される。
【００１６】
請求項２に記載のように、手摺支柱支持室１１に挿入した手摺支柱１をセメントモルタル８で根固めすれば、手摺支柱１を手摺支柱支持室１１内に簡単に固定させることができる。
【００１７】
請求項３に記載のように、手摺支柱支持室１１に挿入した手摺支柱１を挟着手段３４によって挟着固定することにより、手摺支柱１を手摺支柱支持室１１内に簡単に固定させることができる。
【００１８】
請求項４に記載のように、室内側箱枠部室１２及び室外側箱枠部室１２に反力受け材を収容して、手摺支柱支持室１１に負荷する手摺支柱１の室内外方向の偏寄力を反力受け材によって受支するようにすれば、手摺支柱支持室１１に負荷する手摺支柱１の室内外方向の偏寄力によって隔壁１０が変形したり破損するのを防止できる。
【００１９】
請求項５に記載のように、箱枠５を躯体１８上に載置した状態で躯体１８に固定すれば、手摺支柱１をより一層安定良く躯体１８上に固定することができる。
【００２０】
請求項６のように、箱枠５を躯体１８から浮かせた状態で躯体１８に固定すれば、例えば手摺支柱１を取り付ける躯体１８の上面を防水シート等によって防水仕上げを施した場合に、アンカー棒６を根固めするアンカー用穴７部分の防水処理及びメンテナンスが容易となる。
【００２１】
請求項７に係る発明のように、箱枠５をアルミ押出形材にて一体形成することにより、製作が容易となる。つまり、アルミ押出形材を所要長さに切断することで所要高さの箱枠５を簡単容易に製作することができる。
【００２２】
請求項８に係る発明によれば、箱枠５は、箱枠長幅方向中央部で二分割されたようなアルミ押出形材製の一対の半割枠５ａ，５ａからなるもので、各半割枠５ａは互いに他の半割枠５ａの接合端部と接合するための左右の接合端部を有し、左右両接合端部は、互いに他の半割枠５ａの接合端部と凹凸嵌合する凹形嵌合部１４と凸形嵌合部１５とからなるため、箱枠５の製作にあたっては、半割枠５ａのみのアルミ押出し成形を行えばよく、従って成形型が製品の半分のもので済み、成形型の製作が容易となって、箱枠製作コストの低減を図ることができる。
【００２３】
請求項９に係る発明によれば、各棒状アンカー６はネジ軸からなるもので、このネジ軸と、アンカー用穴７の入口部との間に防水シール２６，３１を介装しているため、雨水等がアンカー用穴７に浸入するのが防止され、従って躯体内への雨水等の浸入が防止される。
【００２４】
請求項１０に係る発明によれば、箱枠５の上面側に上蓋１９を取り付けることによって、箱枠５の外観上の体裁、見栄えが良くなる。
【発明を実施するための最良の形態】
【００２５】
以下に本発明の好適な一実施形態を図面に基づいて説明すると、図１は本発明に係る手摺りをベランダの外側から見た正面図、図２は手摺りの一部をベランダの外側から見た斜視図、図３は手摺支柱の取付装置を示し、(a) は図１のＸ−Ｘ線拡大断面図、(b) は図１のＹ−Ｙ線拡大断面図であり、図４の(a) は図３の(b) のＺ−Ｚ線断面図、(b) は図３の(a) のＶ−Ｖ線断面図であり、図５の(a) は図３の(a) のＷ−Ｗ線断面図、(b) は図３の(a) のＵ−Ｕ線断面図である。ここに示される手摺りＴは、例えば建物の屋上の外周部に設置されるもので、複数の手摺支柱１と、対向する両手摺支柱１，１に固定され、横方向に延びる上下の横桟２，３と、上下の横桟２，３間に所要間隔おきに配置される多数の手摺り子４とからなる。
【００２６】
この手摺支柱１の取付装置は、図２〜図５に示すように、手摺支柱１が取り付けられる例えばベランダのコンクリートスラブ（躯体）１８に、その室内外方向に長幅の箱枠５を配置し、箱枠５の四隅に設けたアンカー棒６をコンクリートスラブ１８に穿設したアンカー用穴７に埋め込み且つ接着用樹脂１７で根固めすることによって箱枠５をコンクリートスラブ１８に固定し、箱枠５は、その内部を、長幅方向中央部の手摺支柱支持室１１と、隔壁１０を介して室内外両側の箱枠部室１２，１２とに区画形成し、手摺支柱支持室１１に手摺支柱１を挿入して固定し、手摺支柱支持室１１に負荷する手摺支柱の室内外方向の偏寄力を箱枠５の室内外側箱枠部９ａによって受支するようにしたものである。
【００２７】
上記の取付装置について詳細に説明すれば、箱枠５は、コンクリートスラブ１８の室内外方向に長幅となるように配置される平面視長方形の箱枠本体９と、箱枠５の内部を手摺支柱支持室１１と室内外両側の箱枠部室１２，１２とに区画する隔壁１０，１０とからなり、箱枠本体９の室内側箱枠部９ａ及び室外側箱枠部９ａが、手摺支柱支持室１１に負荷する手摺支柱の室内外方向の偏寄力を支持するようになっている。
【００２８】
手摺支柱支持室１１には手摺支柱１の下端部が挿入されると共に、セメントモルタル８が装填されて、手摺支柱１の下端部がセメントモルタル８により根固めされている。また、各箱枠部室１２内には、反力受け材としての鋼管やアルミ管からなる中空角材１３及びセメントモルタル８が収容されている。
【００２９】
この実施形態において、各箱枠部室１２内には、鋼管やアルミ管からなる例えば上下２つの中空角材１３と、この箱枠部室１２内の中空角材１３との間に装填したセメントモルタル８とを夫々反力受け材として収容しているが、反力受け材としては中空角材１３のみでもよいし、セメントモルタル８のみでもよく、またこれら以外でもよいが、何れにしても手摺りＴが受ける風圧などによって手摺支柱支持室１１に負荷する手摺支柱１の室内外方向の偏寄力を箱枠部室１２内で受け止めることができるものであればよい。
【００３０】
また箱枠５は、図６の(a) ，(b) に示すように、箱枠長幅方向中央部で二分割されたようなアルミ押出形材製の一対の半割枠５ａ，５ａからなるもので、各半割枠５ａは、互いに他の半割枠５ａの接合端部と接合するための左右の接合端部１４，１５を有し、左右両接合端部１４，１５は、互いに他の半割枠５ａの接合端部と凹凸嵌合する凹形嵌合部１４と凸形嵌合部１５とからなる。図６の(a) は一つの半割枠５ａを示し、(b) は一つの半割枠５ａに対し他の半割枠５ａを１８０°反転させた状態で互いの接合端部１４，１５どうしを凹凸嵌合させて、箱枠５を形成した状態を示している。
【００３１】
また図６の(a) ，(b) に示すように、平面視長方形箱枠本体９の四隅部にはビスホール１６が設けられている。また、コンクリートスラブ１８のアンカー用穴７に挿入される各アンカー棒６は、図５の(a) に示すようなネジ軸からなるもので、このネジ軸からなるアンカー棒６の上端部側は、箱枠本体９のビスホール１６にネジ切り螺入されて固定されるようになっている。
【００３２】
また、箱枠５の上面側には上蓋１９が取り付けられる。この上蓋１９は、アルミ板をプレス加工して形成されたもので、上蓋本体１９ａと周側壁部１９ｂとからなり、箱枠５への取付時には周側壁部１９ｂから箱枠本体９に対しビス２０止めされるようになっている。上蓋本体１９ａの中央部には手摺支柱挿入用の開口部１９ｏが形成されている。
【００３３】
次に、上記の取付装置による手摺支柱１の取付方法について簡単に説明すると、先ず、手摺りＴの手摺支柱１が設置されるコンクリートスラブ１８の所定箇所に夫々４つのアンカー用穴７を穿設し、そして各アンカー用穴７には例えばエポキシ樹脂のような熱可塑性樹脂からなる接着用樹脂１７を充填する。また、箱枠５には四隅のビスホール１６に夫々アンカー棒６の上端側をネジ切り螺入し、各アンカー棒６を箱枠５下面側四隅から下方へ夫々所要長さ突出させた状態にしておき、また箱枠本体９の各箱枠部室１２内には上下２つの中空角材１３，１３を挿着しておく。
【００３４】
しかして、手摺支柱設置箇所のアンカー用穴７にアンカー棒６の下端部を挿入して、接着用樹脂１７によりアンカー棒６をアンカー用穴７に固着すると共に、コンクリートスラブ１８上に載置して固定する。この場合、アンカー棒６の下端部をアンカー用穴７に挿入する前に、上蓋１９の開口部１９ｏにアンカー棒６を挿通しておく。そして、箱枠５は、箱枠本体９の長幅方向が手摺りＴの長手方向と直交するように、つまり室内外方向と一致するように配置する。その後、手摺支柱１の下端部を箱枠本体９内の手摺支柱支持室１１に挿入し、この手摺支柱支持室１１内に装填したセメントモルタル８により手摺支柱１を手摺支柱支持室１１内に固定する。また、箱枠本体９の各箱枠部室１２内にも中空角材１３との間にセメントモルタル８を装填する。その後、上蓋１９を箱枠５の上面側に被せてビス２０で固定する。
【００３５】
上記のようにして箱枠５をコンクリートスラブ１８上に載置固定し、箱枠本体９の手摺支柱支持室１１及び各箱枠部室１２内に装填したセメントモルタル８が乾燥固化することにより、手摺支柱１はコンクリートスラブ１８上の所定位置に箱枠５を介して取付け固定される。こうして各手摺支柱１を所定位置に固定した後、対向する手摺支柱１，１間に上下の横桟２，３を架け渡すと共に、上下横桟２，３間に手摺り子４を所要間隔おきに配設することによって、図１に示すような手摺りＴを組み立てる。尚、図１及び図３の(b) において、２１は下横桟３の下側に支持部片２２を介して下横桟３と平行に取り付けられた補助横桟である。また図３〜図５において、２３はコンクリートスラブ１８の最下部に設けられたシール層である。
【００３６】
以上説明したように、この実施形態の取付装置は、コンクリートスラブ１８にその室内外方向に長幅の箱枠５を配置し、箱枠５の四隅に設けたアンカー棒６をコンクリートスラブ１８に穿設したアンカー用穴７に埋め込んで接着用樹脂１７で根固めすることによって箱枠５をコンクリートスラブ１８に固定するから、箱枠５をコンクリートスラブ１８に強固に固定でき、比較的小形の箱枠を使用しても、支柱の倒れに対し十分に大きな強度を確保できる。また、箱枠５の内部を、長幅方向中央部の手摺支柱支持室１１と、隔壁１０を介して室内外両側の箱枠部室１２，１２とに区画形成し、手摺支柱支持室１１に手摺支柱１を挿入してセメントモルタル１８で根固めし、各箱枠部室１２には反力受け材としてのセメントモルタル８及び中空角材１３を収容したから、手摺りＴが受ける風圧によって手摺支柱１に室内外方向、即ち図２の矢印方向又はその反対方向の外力Ｐが作用する時に、手摺支柱支持室１１に負荷する手摺支柱１の室内外方向の偏寄力は、各箱枠部９ａによって支持されると共に、各箱枠部室１２内に収容されている反力受け材としてのセメントモルタル８及び中空角材１３によって支持され、従って手摺支柱１は、倒れを生ずるようなことがなく、箱枠５及びアンカー棒６を介してコンクリートスラブ１８上に安定良く支持固定される。
【００３７】
この手摺支柱１の取付装置では、箱枠５をコンクリートスラブ１８上に載置するから、手摺支柱１をより一層安定良く取付け固定することができる。
【００３８】
図示は省略するが、箱枠５のの全体をアルミ押出形材により一体に形成した場合には、箱枠５の製作が容易となる。またこの場合、アルミ押出形材を所要長さに切断することによって、所要高さの箱枠５を容易に製作することができる。
【００３９】
更に、この実施形態では、箱枠５は、箱枠長幅方向中央部で二分割されたようなアルミ押出形材製の一対の半割枠５ａ，５ａからなるもので、各半割枠５ａは互いに他の半割枠５ａの接合端部と接合するための左右の接合端部を有し、左右両接合端部は、互いに他の半割枠５ａの接合端部と凹凸嵌合する凹形嵌合部１４と凸形嵌合部１５とからなるため、箱枠５の製作にあたっては、半割枠５ａのみをアルミ押出し成形を行えばよく、従って成形型が製品の半分のもので済み、成形型の製作が容易となって、箱枠製作コストの低減を図ることができる。
【００４０】
図７の(a) は他の実施形態による手摺支柱１の取付装置を示す平面図、(b) は正面図である。この手摺支柱１の取付装置は、図３〜図６で示される実施形態のものとはほとんど同じであるが、アンカー棒６が長尺状のネジ軸からなるもので、このネジ軸６が箱枠５の四隅に夫々設けられたビス挿通孔であるビスホール１６（図６参照）を貫通し、ネジ軸６の箱枠５下面から突出する部分がコンクリートスラブ１８（躯体）のアンカー用穴７に挿入されて接着用樹脂１７により穴７に固着され、そして箱枠５の上面側に取り付けた上蓋１９を貫通して上方へ突出部分に締付用のナット２４が螺合締結され、それにより箱枠５がコンクリートスラブ１８上に固定されるようになっている点が特徴である。
【００４１】
図８の(a) は本発明に係る他の手摺支柱１の取付装置を示す平面図、(b) は正面図である。この取付装置は、上蓋１９と底蓋２５を取り付けた箱枠５と、この箱枠５の下面側周辺部から下方へ所要長さ突出するように設けられた複数本のアンカー棒６とからなり、コンクリートスラブ１８（躯体）に穿設したアンカー用穴７にアンカー棒６を挿入して、接着用樹脂１７によりアンカー棒６をアンカー用穴７に固着すると共に、箱枠５を同図の(b) に示すようにコンクリートスラブ１８から所要高さに浮かせた状態に固定し、しかして手摺支柱１の下端部を箱枠５内の中央部に挿入し、箱枠５内に装填したセメントモルタル８によって手摺支柱１を箱枠５内に固定してなるもので、アンカー棒６であるネジ軸が挿入されるアンカー用穴７の入口部と、このネジ軸６との間に、防水シール用のコーキング材２６がナット２７及びワッシャー２８によって介装されている。箱枠５の内部構造については図３〜図６で示される実施形態の取付装置と同じである。図８の(b) において、２９はコンクリートスラブ１８の上層部に設けられたシート状の防水板である。底蓋２５の構造及びその取付方法は、前述した上蓋１９とほとんど同じである。
【００４２】
この取付装置のように、箱枠５をコンクリートスラブ１８（躯体）から所要高さに浮かせた状態に固定することにより、アンカー用穴７の上端入口部を例えばコーキング材２６で容易にシールできて、雨水等がアンカー用穴７に浸入するのを防止し、従って躯体内への雨水等の浸入を防止することができる。また、このように箱枠５をコンクリートスラブ１８から浮かせた状態で固定すれば、例えば手摺支柱１を取り付けるコンクリートスラブ１８の上面を防水板２９等によって防水仕上げを施した場合に、アンカー棒６を根固めするアンカー用穴７部分の防水処理及びメンテナンスが容易となる。
【００４３】
図９の(a) は他の実施形態による手摺支柱１の取付装置を示す平面図、(b) は正面図である。この取付装置は、図８に示した実施形態の手摺支柱１の取付装置とほとんど同様であるが、アンカー棒６が図７の実施形態と同様に長尺状ネジ軸からなるもので、このネジ軸６が箱枠５の四隅に夫々設けられたビス挿通孔であるビスホール１６（図６参照）を貫通し、ネジ軸６の箱枠５下面から突出する部分がコンクリートスラブ１８（躯体）のアンカー用穴７に挿入されて接着用樹脂１７によりアンカー用穴７に固着され、そして箱枠５の上面側に取り付けた上蓋１９を貫通して上方へ突出部分に締付用のナット２４を螺合すると共に、ネジ軸６の下部側に螺合したナット３０を締め付けて底蓋２５を箱枠５の下面側に取付け固定している点が異なる。
【００４４】
また図９の(b) に示すように、ネジ軸６が挿入されるアンカー用穴７の入口部と、このネジ軸６との間に、防水シールパッキン３１がナット３２及びワッシャー３３によって介装されている。箱枠５の内部構造については図３〜図６で示される実施形態の取付装置と同じである。
【００４５】
図１０の(a) は更に他の実施形態による手摺支柱１の取付装置を示す水平断面図、(b) は縦断正面図である。この取付装置は、箱枠５内部の手摺支柱支持室１１に挿入した手摺支柱１を挟着手段３４によって挟着固定するようにした実施形態を示す。この挟着手段３４は、手摺支柱支持室１１内の室内外両隔壁１０，１０側に夫々ネジ取付基板３５，３５と、その内側に支柱押圧板３６，３６とを配置し、両隔壁１０，１０に設けたボルト挿通孔３７，３７から夫々挿通したボルト３８，３８を、両ネジ取付基板３５，３５に設けたネジ孔３９，３９に螺通して締め付けることにより、ネジ取付基板３５，３５を隔壁１０，１０に引きつけると共に、両側のボルト３８，３８の夫々先端部により支柱押圧板３６，３６を押動して、両支柱押圧板３６，３６の間に挿入した手摺支柱１の下端部を両支柱押圧板３６，３６によって手摺支柱支持室１１内に挟着固定するようにしたものである。尚、ボルト３８は、各ネジ取付基板３５の上下複数段（ここでは上下２段）に亘って取り付けるようになっている。
【００４６】
ボルト３８を締め付けるには、箱枠本体９の所要部に工具挿入用開口部４０を設けて、この開口部４０より例えばボックスレンチ４１を挿入して行う。即ち、このボックスレンチ４１は、ボルト３８のヘッドを包み込んだ状態に嵌合するボックス（ソケット）４２を柄４３の先端部に取り付け、また柄４３の基端部にハンドル４４を取り付けてなるもので、図１０の(b) の仮想線図示のように、箱枠本体９の工具挿入用開口部４０から柄４３を挿入して、先端部ボックス４２をボルト３８のヘッドに嵌合させ、ハンドル４４を回すことにより、ボルト３８を締め付けることができる。
【００４７】
尚、この図１０の実施形態の手摺支柱１の取付装置は、箱枠５の構造及びこの箱枠５のコンクリートスラブ（躯体）１８への取付方法については、図３〜図６で示される実施形態の取付装置と同じであるため、その説明は省略する。この図１０に示すような挟着手段３４によれば、ボルト３８を締め付けるだけの簡単な操作で、ネジ取付基板３５及び支柱押圧板３６を介して手摺支柱１を強固に挟着固定することができる。
【図面の簡単な説明】
【００４８】
【図１】本発明に係る手摺りをベランダの外側から見た正面図である。
【図２】手摺りの一部をベランダの外側から見た斜視図である。
【図３】手摺支柱の取付装置を示し、(a) は図１のＸ−Ｘ線拡大断面図、(b) は図１のＹ−Ｙ線拡大断面図である。
【図４】(a) は図３の(b) のＺ−Ｚ線断面図、(b) は図３の(a) のＶ−Ｖ線断面図である。
【図５】(a) は図３の(a) のＷ−Ｗ線断面図、(b) は図３の(a) のＵ−Ｕ線断面図である。
【図６】(a) は一つの半割枠を示す平面図、(b) は一つの半割枠に対し他の半割枠を１８０°反転させた状態で互いの接合端部どうしを凹凸嵌合させて、箱枠を形成した状態の平面図である。
【図７】(a) は他の実施形態による手摺支柱の取付装置を示す平面図、(b) は正面図である。
【図８】(a) は本発明に係る他の手摺支柱の取付装置を示す平面図、(b) は正面図である。
【図９】(a) は他の実施形態による手摺支柱の取付装置を示す平面図、(b) は正面図である。
【図１０】(a) は更に他の実施形態による手摺支柱１の取付装置を示す水平断面図、(b) は縦断正面図である。
【符号の説明】
【００４９】
Ｔ            手摺り
１            手摺支柱
５            箱枠
６            アンカー棒
７            アンカー用穴
８            セメントモルタル
９            箱枠本体
９ａ          室内側及び室外側の箱枠部
１０          隔壁
１１          手摺支柱支持室
１２          箱枠部室
１３          セメントモルタル８
１８          コンクリートスラブ（躯体）
【図１】
2010024749.tif 000003
【図２】
2010024749.tif 000004
【図３】
2010024749.tif 000005
【図４】
2010024749.tif 000006
【図５】
2010024749.tif 000007
【図６】
2010024749.tif 000008
【図７】
2010024749.tif 000009
【図８】
2010024749.tif 000010
【図９】
2010024749.tif 000011
【図１０】
2010024749.tif 000012